(57)【特許請求の範囲】
【請求項１】
音響発生手段を具備するヘッドホンと、外部の音源をシミュレートするために上記ヘッドホンの上記音響発生手段によって発生される音響信号を制御する手段とを有する音再生システムであって、
上記制御する手段は、信号をフィルタリングするためのフィルタ設定を有するフィルタ手段を有し、
上記ヘッドホンは、マイクロホンを具備し、
上記制御する手段は、少なくとも一つの外部の音源が信号に応答して動作するとき上記マイクロホンによってレジスタされる信号が実質的にゼロとなるよう上記フィルタ手段の上記フィルタ設定を適合させることによって上記ヘッドホンの上記音響発生手段によって生成される音響を調整する手段と、外部音源をシミュレートする上記ヘッドホン中の音響発生に影響を与えるために上記調整の結果による上記フィルタ設定を記録する手段と、を含むか又は結合され、前記外部音源が取り除かれるか、又はスイッチオフされたとき、前記ヘッドホンからの音響発生に前記フィルタ設定が用いられることを特徴とする音再生システム。
【請求項２】
人に対して調整されたフィルタ設定をレジスタする手段を有することを特徴とする請求項１記載の音再生システム。
【請求項３】
上記ヘッドホンには音響伝達手段が設けられることを特徴とする請求項１記載の音再生システム。
【請求項４】
上記音響伝達手段は管を有することを特徴とする請求項３記載の音再生システム。
【請求項５】
上記マイクロホンは、耳の中に挿入可能なヘッドホンと一体化されていることを特徴とする請求項１記載の音再生システム。
【請求項６】
上記ヘッドホンの音響発生手段はマイクロホンであることを特徴とする請求項１記載の音再生システム。
【請求項７】
上記ヘッドホンと、上記システムの静止状態の素子との相対位置を確かめる手段を有することを特徴とする請求項１記載の音再生システム。
【請求項８】
少なくとも一つのヘッドホンの近傍、又は、上記少なくとも一つのヘッドホンにおいて、相対位置測定信号のための信号のエミッタ又はセンサが存在し、前記静止状態の素子は相対位置測定信号のためのセンサ又はエミッタを有することを特徴とする請求項７記載の音再生システム。
【請求項９】
請求項１乃至８のうちいずれか一項記載の音再生システムにおいて使用するヘッドホン。
【発明の詳細な説明】
【０００１】
本発明は、音響発生手段を有するヘッドホンと、外部の音源をシミュレートするために上記ヘッドホン音響発生手段によって生成される音響信号を制御する手段とを有する音再生システムに関わる。
【０００２】
本発明は、音再生システムのためのヘッドホンにも関わる。
【０００３】
ヘッドホンは、（可動式）ＣＤプレーヤのようなオーディオ機器中で、及び、オーディオ機器のために使用され、呼出センターにおいても使用される。
【０００４】
ヘッドホンは、音響を発生する手段（通常、小さい拡声器）を有する。記録された音響信号（音声又は音楽）は、ヘッドホンに送られ、ヘッドホン中の音響発生器が音響を発生する。しかしながら、聴取者は、音響信号が適合されない限り発生された音響が頭の中又はその非常に近傍において発生されている（実際にはそうであるが）ように知覚する。このような音響は、不自然と知覚される。聴取者による音響信号の知覚が、彼／彼女が外部の音源を聞いていると思うように、即ち、より自然な音響を知覚するよう信号を処理することが公知である。これを実現するためには、信号はフィルタを通じて処理され、このフィルタは、頭の近傍又はその中で発生される音響が一つ（又は一つ以上の）外部の音源をシミュレートするように信号の特性を変更するために設定される。これに関する重要な面は、外部の源による頭及び、耳介自体への音響の伝達特性、いわゆる、頭に関連する伝達関数（Head  Related  Transfer  Function（ＨＲＴＦ））、即ち、音響が減衰され、音響が聞こえる前に頭及び耳介自体によって変更される方法にある。外部の音響シミュレーションを得るためにＨＲＴＦを考慮して信号を処理する試みは、J．Acoust．Soc．Am85(2)，p858−878，F．L．Wightman及びD.Kistler，Feb．1989：“Headphone  simulation  of  free-field  listening  I  and  II”から公知である。
【０００５】
しかしながら、このような試みは、必ずしも成功しない。ＨＲＴＦは、頭及び耳の実際の形状及び形態に依存し、人と人とで実質的に異なる。更に、頭の動きも音響の知覚に影響を与えるため事を複雑にさせる。例えば、日本国特許出願ＪＰ０８／０７９９００Ａから、耳と耳との間の距離、頭の高さ、及び、頭の動きを測定するための測定装置を具備するヘッドホンを提供することが公知である。このような測定は、音再生を改善するために使用され得るが、結果は、改善のために部屋から出る。ＨＲＴＦは、このような測定の結果を用いておよそだけ決定され得る非常に個別的なものである。同様にして、頭の動きもおよそだけ決定される。
【０００６】
本発明は、音再生が改善された、冒頭段落に記載した音響システムを提供することを目的とする。
【０００７】
このために、システムは、ヘッドホンにはマイクロホンが設けられ、信号に応答して少なくとも一つの外部の音源が動作するとき、マイクロホンによってレジスタされる信号が実質的にゼロとなるようヘッドホン音響発生手段によって生成される音を調節する手段、及び、ヘッドホン中の音響発生をシミュレートする外部の源に影響を与えるために上記調整の結果を記録する手段を含む第１の組、及び／又は、マイクロホンによってレジスタされる信号と既知の信号との間の差が実質的にゼロとなるようヘッドホン音響発生手段によって生成される音響を調整する手段、及び、ヘッドホン中の音響発生をシミュレートする外部の源に影響を与える上記調整の結果を記録する手段を含む第２の組を有し、制御手段は、第１の組及び第２の組夫々の調整手段及び記録手段を含み、又は、これら手段に結合されることを特徴とする。
【０００８】
各ヘッドホンは、マイクロホンを具備する。耳の近傍、好ましくは耳の中にある上記マイクロホンは、ヘッドホン音響発生手段、並びに、本発明に一面におけるように少なくとも一つの外部の源によって発生される音をレジスタする。システムは、信号に応答する少なくとも一つの外部の源及びヘッドホン音響発生手段が活性化されているとき、マイクロホンが実質的にゼロの信号をレジスタするようヘッドホン音響発生手段によって生成される音を調整する手段を有する。ヘッドホンは、人間の知覚的に、反対の符号を有するが同じ聴覚の信号を外部の源として生成する。その後、外部の源が遮断されるとき、又は、全て除去されるとき、聴取者によって知覚される音は外部の源に対する音と同じである。マイクロホンによってレジスタされる信号は、源だけが動作されるときの信号と等しい。拡声器のような源に送られる信号とこのような外部の源をシミュレートするためにヘッドホン音響発生手段に送られる信号との間の関係が公知である。上述の調整からのデータは、外部の源がシミュレートされるような方法でヘッドホンへの音響信号の調整のために使用される。
【０００９】
外部の源に送られる信号と、ヘッドホン音響発生手段への信号と、マイクロホン信号との間の関係が測定される。しかしながら、このような測定は、信号ａ（外部の源の信号）とｂ（等しいヘッドホン信号）との間の関係だけでなく、信号ｃ（ヘッドホン信号）と、ｃ（マイクロホン信号）と、及び、信号ａ（外部の源の信号）とｃ（マイクロホン信号）との間の関係も提供する。これら関係は、以下の通りに本発明の別の面において追加的に又は別々に使用され得る。
【００１０】
一旦「標準的な頭」又は実際には全ての頭に対して、信号ａ、ｂ、及び、ｃの間の関係が確立されると、全ての状況において、即ち、他の頭に対して信号を有する外部の源を更に使用することは必要でない。必要な場合にヘッドホン信号ｂを調整するために、特定の外部の源の信号ａに対応するマイクロホン信号ｃを知る（そして、知られている）ことが十分である。ヘッドホン音響発生手段が「本当に」（信号ｂ）外部の源（信号ａ）をシミュレートするとき、特定のマイクロホン信号（信号ｃ）がレジスタされるべきである。これは、「標準的な頭」における場合である。しかしながら、ヘッドホンが別の頭に着けられるとき、ＨＲＴＦは異なり、ＨＲＴＦが異なるため、ヘッドホン音響発生手段に送られる同じ信号ｂが上記特定のマイクロホン信号ｃから異なるマイクロホン信号ｃ’を発生する。システムは、信号ｃ’が信号ｃに等しくなるようにヘッドホン音響発生手段に（ｂ’に）送られる信号ｂを調整し、調整データを記憶し、外部の源をシミュレートするために更なる音の生成のために調整データを使用する手段を有する。
【００１１】
ヘッドホン音響発生手段及びマイクロホンがしばしば別個の素子である実施例がある一方で、幾つかの実施例では、ヘッドホン音響発生手段（ヘッドホン拡声器）は、特にこのようなヘッドホン音響発生手段が耳のチャネルの中におかれるときマイクロホンとして二重の機能を有してもよいことに注意する。
【００１２】
システムは、特定の人に対して調整データを記憶する手段を有することが好ましい。
【００１３】
これは、調整データを特定のユーザに対して保持させ且つ関連させることを可能にする。上記ユーザが次回システムを使用するとき、入来する信号は「正しい」又は少なくとも「略正しい」方法でフィルタされる。
【００１４】
本発明の上記及び他の目的は、以下に説明する実施例を参照して明らかになる明確になる。
【００１５】
図面は、概略的であり、一定の比率に応じて示されていない。
【００１６】
図１は、二つの耳２及び３を有する人１の頭を示す図である。二つの実際の拡声器ＬＳｌ（拡声器−左）及びＬＳｒ（拡声器−右）が部屋の中にある。これら拡声器を用いて、空間中のどこか他の点にある拡声器ＬＳｐによって音響信号Ｖｒが生成されるように音響を発生することを意図する。
【００１７】
信号Ｘを生成する（想像上の）音源ＬＳｐによって発生される音を聞いているような印象を人１に与えるよう、どの信号が実際の拡声器ＬＳｌ及びＬＳｒによって発生されるべきかを計算するためには、信号Ｘが変更、即ち、拡声器ＬＳｌに対してフィルタ関数ＷＸＬ（ｌは左を意味する）、及び、拡声器にＬＳｒに対してＷＸＲによってフィルタ処理されなくてはならない。
【００１８】
従って、拡声器ＬＳｌによって発せられる信号は、ＸＷＷＬであり、ＬＳｒによって発生される信号はＸＷＷＲである。
【００１９】
実際の音源又は想像上の音源でもよいいずれかの音源によって生成される信号は、伝達関数によって乗算される信号に等しい圧力を耳において（実際の源に対しては）生じさせ又は（想像上の源に対しては）生じさせると思われる。図中、伝達関数Ｗｌｌ（左の拡声器から左耳へ）、Ｗｌｒ（左の拡声器から右耳へ）、Ｗｒｌ（右の拡声器から左耳へ）、Ｗｒｒ（右の拡声器から右耳へ）、Ｗｐｌ（想像上の拡声器から左耳へ）、及び、Ｗｐｒ（想像上の拡声器から右耳へ）が示される。
【００２０】
拡声器ＬＳｌ及びＬＳｒによって生じられる左耳における音圧Ｐｌは、音圧ＸＷＸＬ（左拡声器への信号）×Ｗｌｌ（左拡声器から左耳への伝達関数）+ＸＷＸＲ（右拡声器への信号）×Ｗｒｌ（右拡声器から右耳への伝達関数）の和である。従って、
Ｐｌ＝Ｘ（ＷＸＬＷｌｌ+ＸＷＸＲＷｒｌ）
である。
【００２１】
同様にして、右耳における音圧Ｐｒは、
Ｐｒ＝Ｘ（ＷＸＬＷｌｒ+ＸＷＸＲＷｒｒ）
である。
【００２２】
想像上の拡声器によって生じられ得る音圧は、
（左耳）Ｐ’ｌ＝ＸＷＰｐｌ
（右耳）Ｐ’ｒ＝ＸＷＰｐｒ
である。
【００２３】
Ｐｌ＝Ｐ’ｌ、及び、Ｐｒ＝Ｐ’ｒを代入すると、
ＷＸＬ＝（ＷｐｌＷｌｌ−ＷｐｒＷｒｌ）／（ＷｌｌＷｒｒ−ＷｌｒＷｒｌ）、及び、
ＷＸＲ＝（ＷｐｌＷｌｒ−ＷｐｒＷｒｒ）／（ＷｌｒＷｒｌ−ＷｌｌＷｒｒ）となる。
【００２４】
この簡略化されたモデルにおいて説明されたフィルタ関数は、実際に各周波数に対して決定されなくてはならず、従って、実際に各周波数に対して、フィルタ関数ＷＸＲ及びＷＸＬが決定され、固定され、使用されなくてはならない。正確なフィルタ関数ＷＸＲ及びＷＸＬを用いると、聴取者は「想像上の源」ＬＳｐから聞こえる。従って、二つの拡声器を用いて、「想像上の」音源において音響が発生され得、これを聴取者は、拡声器ＬＳＬ及びＬＳＲの実際の場所以外の別の場所から来るように思う。この知覚は、伝達関数（本願ではしばしば「フィルタ」又は「フィルタ設定」とも呼ばれる）ＷＸＬ及びＷＸＲの正確さに依存する。
【００２５】
拡声器ＬＳｌ及びＬＳｒから耳までの伝達関数Ｗｌｌ、Ｗｌｒ、Ｗｒｒ、及び、Ｗｌｒを決定することが困難なため、フィルタＷＸＬ及びＷＸＲを決定することが困難である。実際の拡声器に対する伝達関数は、ある程度まで「標準的な頭」に対して計算及び／又は測定され得るが、実際には、各頭及び各ヘッドホンは異なっており、従って、伝達関数は常にほぼ適当であるが、非常に良いということは決してない。想像上の源に対する伝達関数は、推定又は理論的にだけ導き出され得る。高い周波数に対して特に、伝達関数は、頭及び耳の管の形状のため、決定することが困難である。つまり、頭に関連する伝達関数（Head  Related  Transfer  function）、即ち、ＨＲＴＦは、非常に個別的である。
【００２６】
伝達関数は計算される必要があり、計算はエラーを生む。
【００２７】
各周波数に対して、伝達関数が決定されなくてはならず、これは、大きい計算を要求しこのような計算自体がエラー源と成り得、又は、周波数の帯域に対する平均的な伝達関数の使用を必要としこれも又エラーを生む、のいずれかを要求する。
【００２８】
全ての伝達関数は、ある程度まで（実際の又は想像上の）音源と耳との相対位置にだけでなく、他の要素、例えば、音波を反射又は変更し従って伝達関数に影響を与え得る、源又は耳の近傍にある対象物にも依存する。
【００２９】
従って、音の再生を改善する必要がある。
【００３０】
図２は、本発明によるシステムの好ましい実施例である。
【００３１】
システムは、マイクロホン６及び７を夫々有する二つのヘッドホンを含む。各ヘッドホンは、音響発生手段４及び５を有する。信号ｘ（ｋ）は、フィルタ設定ＷＸＬ（ｋ）及びＷＸＲ（ｋ）を有するフィルタ手段（即ち、変調手段）を通じて手段４及び５に中継される。前のシステムでは、フィルタ８及び９は、（図１に示すように）固定されたフィルタであり、従って、設定ＷＸＬ（ｋ）及びＷＸＲ（ｋ）も固定されていた。これら固定されたフィルタは、「平均的な部屋」における「平均的な頭」に等しいように通常設定される。フィルタ後の信号は、
【００３２】
【外１】
0004509450.tif 000002
によって示される。信号は、
【００３３】
【数１】
0004509450.tif 000003
である。本発明によるシステムでは、マイクロホン６及び７は、ヘッドホンの中又はその近傍にあり、信号ｒｌ（ｋ）及びｒｒ（ｋ）を発生する。信号ｒ１（ｋ）及びｒ２（ｋ）は、外部の源及びヘッドホンによって発生される音響の和によるものである。これら信号ｒｌ（ｋ）及びｒｒ（ｋ）は、比較及び調整手段１０に供給され、この手段は、信号ｘ（ｋ）のための入力と、設定ＷＸＬ（ｋ）及びＷＸＲ（ｋ）を適応又は調整するためのフィルタ手段８及び９への出力とを有する。図２では、伝達関数Ｗｌｌ及びＷｒｒだけが示されていることに注意する。これは、以下に説明する。
【００３４】
信号ｘ（ｋ）は、音源ＰＬに供給され、信号
【００３５】
【外２】
0004509450.tif 000004
が音響発生手段４及び５に供給される。信号ｒｌ（ｋ）及びｒｒ（ｋ）は、調整手段１０に給送される。この調整手段は、マイクロホン信号ｒｌ（ｋ）及びｒｒ（ｋ）が好ましくは、各周波数、又は、周波数の各選択された組或いは選択に対して）ゼロになる（までフィルタの設定ＷＸＬ（ｋ）及びＷＸＲ（ｋ）（従って、信号
【００３６】
【数２】
0004509450.tif 000005
）に影響を与える。これは、ステップ毎に、即ち、一つ以上のパラメータ（一つ以上の設定ＷＸＬ（ｋ）及びＷＸＲ（ｋ））が変化されるように行われてもよく、次に、信号ｒｌ（ｋ）が上昇又は減少したかがチェックされ、上昇した場合、パラメータが反対の方向変化され、減少した場合、パラメータは同じ方向に変化される。この処理は、信号ｒｌ（ｋ）及びｒｒ（ｋ）が実質的にゼロになるまで繰り返される。このような方法のより詳細な説明には、例えば、Simon  Haykinによる“Adaptive  Filter  Theory”，Prentice  Hall，Upper  Saddle  River，ISBN0-13-322760-Xを参照する。一般に、このような方法ではより少ないパラメータが考慮され、結果はより良くなり、結果はより早く実現され得る。マイクロホン信号ｒｒ（ｋ）及びｒｌ（ｋ）が実質的にゼロのとき、聴取者は何も聞こえない。フィルタ設定ＷＸＬ（ｋ）及びＷＸＲ（ｋ）に対する結果となる値がそれにより決定される。これらフィルタ設定は、例えば、コンピュータデータベース中のテーブルでもよい。源ＰＬが遮断又は除去されたとき、聴取者は、上記源ＰＬから来ると知覚する音響を聞く。従って、聴取者は、源ＰＬの位置において「想像上の源」を聞く。システムが一人の人に対してだけ使用される場合、このようなテーブルが使用できる唯一のテーブルであるが、システムがフィルタ８及び９に対する確立された設定ＷＸＬ（ｋ）及びＷＸＲ（ｋ）を記憶し、人を識別するデータと設定を組にする手段（図２中入力Ｉによって概略的に示す）を有することが好ましい。同じ人がシステムを次回使用するとき、フィルタは、人を識別する情報がシステムに与えられたとして、上記人に対して正確に又は少なくとも略正確に設定される。実際には、テーブルは、人を識別する名前又は番号と組にされて例えば、コンピュータデータベースに記憶される。
【００３７】
前の方法及び装置と比較して、より良く、且つ、より信頼できる結果が得られ、より多くの「自然な」音響及びより良い「限定された」想像上の源が聴取者に聞かれる。固定されたフィルタに対する利点は、ＷＸＬ（ｋ）及びＷＸＲ（ｋ）が容易に、速く、且つより正確に決定され得、異なる場所及び異なる人に対して適応される点である。例えば、頭伝達関数が固定されたフィルタで計算される場合、平均的な頭の平均的な高さ、及び、幅のようなパラメータが使用され、このようなパラメータは、該人が帽子のように頭に着用する物、又は、例えば、平均的な頭の大きさとは実質的に異なる大きさの頭を有する場合、役に立たない又は明らかに誤った結果を生ずる。これに関して、髪の毛の長ささえも重要になる。更に、耳の間の距離及び頭の高さ以外の他のパラメータもＨＲＴＦにおいて重要になり得る。本発明は、これら欠点を有しないが、頭及び耳の大きさ及び形状及び／又は上記人が帽子を被るか否かに関係なく、各人に対して信頼できる結果を与え、これは、これら全ての要素がマイクロホンにより役割を担わないからである。更に、交差伝達関数（Ｗｒ１及びＷ１ｒ）は、耳２及び３に対する源４及び５の近さにより、無視できる程度、又は、非常に小さい。これは、例えば、図２に示すような好ましい実施例において、計算をより簡略化させ、従って、エラー源を除去することを可能にする。式において、
ＷＸＬ＝（Ｗｐｌ）／（Ｗ１１）
ＷＸＲ＝（Ｗｐｒ）／（Ｗｒｒ）
となる。
【００３８】
これらの式は、固定されたフィルタを有する拡声器を使用する想像上の音響発生に対する式と比較して簡略化されている。各耳に対して、フィルタ関数は、６ではなく二つの伝達関数にだけ依存する。実際に、フィルタ設定ＷＸＲ及びＷＸＬの決定は独立している。左（右）耳における測定は、ＷＸＬ（ｋ）（ＷＸＲ（ｋ））を決定するに十分である。これは、より早い（より少ない応答時間）及びより良いＷＸＬ及びＷＸＲの決定を可能にする。更に、ヘッドホンの音響の路の応答は、非常に短い（従って、応答時間を更に短くさせる）。更に、伝達関数Ｗｌｌ、Ｗｒｒ（及びＷｒｌ及びＷｌｒ）に対する、部屋の形状、及び、部屋の中の対象物のような外来の影響は、ヘッドホンの音再生において存在しない。
【００３９】
結果として、実際の拡声器と想像上の拡声器との間の知覚された差が何であるかを見るために図２に概略的に示すようなシステムを用いて試験されるとき、想像上の拡声器の場所は、無反射の部屋（音響反射が最小限に減少された部屋）及び聴音部屋（通常の音響反射の部屋）の両方において正しかった。これら結果は、固定されたフィルタを使用する公知のシステムにおける結果よりも非常に良い。或いは、（比較的長い距離にある源に対して特に重要と成り得るが）、各マイクロホンから来る信号を扱う代わりに、これら二つの信号の和（ｒｌ（ｋ）+ｒｒ（ｋ））及び差（ｒｌ（ｋ）−ｒｒ（ｋ））も使用され得る。和及び差がゼロである場合、夫々の信号はゼロである。通常、Ｗｌｌ及びＷｒｒは、略等しく（対称的）、源Ｗｐｌ及びＷｐｒから長い距離においてもあまり差はない。これらの事実は、計算を簡略化するために使用されることが好ましい。図２において、異なるフィルタ手段（８，９）及び調整手段（１０）がより明瞭にするために別々に示されていることに注意する。これらフィルタ手段及び調整手段は、一つの装置に全て組み込まれてもよく、組み込まれることが好ましい。ある状況、例えば、源の略対称的に配置された固定された位置において、一つのマイクロホンだけが使用され得る。上記一つのマイクロホンのデータが十分である。
【００４０】
図３は、本発明によるシステムの更なる実施例を示す図である。二つの拡声器ＰＬ１及びＰＬ２が使用される。夫々の拡声器に対して、伝達関数ＷＸＬ及びＷＸＲが上記の通りに決定され得る。これは、以下の通りに行われ得る。第１の拡声器ＰＬ１が活性化され、マイクロホン信号がゼロにされる。上記拡声器に対するフィルタ設定ＷＸＬ（ｋ）及びＷＸＲ（ｋ）が決定される。その後、拡声器ＰＬ１が不活性化され、拡声器ＰＬ２に対するフィルタ設定Ｗ’ＸＬ（ｋ）及びＷ’ＸＲ（ｋ）を決定するために拡声器ＰＬ２が活性化される。夫々の拡声器に対するフィルタ関数が決定された後、システムは、非常に自然な音響、即ち、ステレオ音響で二つの音源ＰＬ１及びＰＬ２の全ての混合を再生することができる。
【００４１】
拡声器ＰＬ１に送られた信号ｘ（ｋ）、及び、同時に拡声器ＰＬ２に送られた信号ｙ（ｋ）に対して、ヘッドホン音響発生手段に対する信号は、
【００４２】
【数３】
0004509450.tif 000006
である。二つ以上の源がシミュレートされるべきとき、二つ以上の源への信号は例えば、ベクトルとして書かれ得、異なる源に対するフィルタ設定はマトリクス形態で書かれ得る。（源に対する）ベクトルと（設定に対する）マトリクスとの乗算は、信号
【００４３】
【外３】
0004509450.tif 000007
を発生させる。マトリクス自体は、測定によって決定され、異なる人及び異なる部屋に対して異なってもよい。
【００４４】
本発明によるシステムの更なる実施例を図４に示す。二つの拡声器ＰＬ１及びＰＬ２に対して夫々伝達関数ＷＸＬ及びＷＸＲ、並びに夫々のＷ’ＸＬ及びＷ’ＸＲを確立すると、この知識は、例えば、幾何学的な原理を用いて、より多くの想像上の音源例えば、想像上の拡声器ＰＬ１及びＰＬ４を「形成」するために使用され得る。その後例えば、ベクトル−マトリクス乗算の上記技法を用いて、「周囲の音」が形成されてもよい。これを固定されたフィルタを用いて行う際に生ずる問題は、既に説明したように、中でも非常に個別的なHead  Related  Transfer  Functions、及び、部屋の中の残響のような局部的な状況にある。二つの公知の源から始まり、幾何学的及び／又は標準的な技法を用いて、他の影響に対してはそれほどでもないが幾何学的な点に関して、想像上の源ＰＬ３及びＰＬ４に対する伝達関数を計算し得る。本発明によるシステムにおいて、上記困難は大部分解決され、これは、実際の部屋（従って、少なくとも部分的に部屋の中の残響を考慮する）において実際のヘッドホン（従って、関連するＨＲＴＦを考慮する）での実際の頭に対する実際の測定が使用され、結果として、これらの影響を考慮して想像上の源のより良い表現を与える伝達関数をもたらすからである。
【００４５】
更なる実施例を図５に示す。ヘッドホン（又は少なくともそれらの一つ、或いは、ヘッドホンの間の接続）は、二つの源ＰＬ１及びＰＬ２及び／又は何らかの固定された基準点に対して位置を測定する手段を有する。このような手段は、例えば、源ＰＬ１及びＰＬ２の中又は近傍にあるセンサによって感知される赤外線源、又は、ヘッドホン中のセンサによって感知されるＰＬ１及びＰＬ２の中又は近傍にある赤外線源である。このような手段は、超音波を発生し感知する手段を有してもよい。本例では、二つの「実際の」拡声器がテレビジョンセット５１の両側に位置決めされる。少なくとも一つのヘッドホンの近傍又はそこにおいて、相対位置測定信号のエミッタ、又は、相対位置測定信号のためのセンサが存在し、システムの静止部分は相対位置測定信号のためのセンサ又はエミッタを有する。
【００４６】
前に説明した通り、伝達関数は、マイクロホン６及び７を用いて決定され、二つの源ＰＬ１及びＰＬ２はオフにされるとき、「想像上の源」としてヘッドホンにおいて可聴である。これら二つの外部の源ＰＬ１及びＰＬ２をシミュレートするための伝達関数は、個々のＨＲＴＦ及び部屋に関連する要素を含む。頭及びフィルタの位置を知ることにより、幾何学的な考慮を用いて一つ以上の想像上の源ＰＬ３及びＰＬ４が形成され得、又は、或いは、追加的にシステムは、源に関して聴取者の多くの異なる位置に対する多くの伝達関数を含むテーブルを有してもよい。聴取者が部屋の中で移動すると、源ＰＬ１及びＰＬ２を関しての頭の位置が、定期的に測定され、正確な場所で想像上の源ＰＬ1乃至ＰＬ4を形成するために使用される。「正確な」フィルタ関数は、例えば、実際の位置に最も近い位置に関連するフィルタ設定テーブルを選択、又は、実際の位置に近い幾つかの位置に対応する幾つかのフィルタ設定の幾らかの平均を（例えば、補間によって）捕捉するのいずれかによって確立されてもよい。実際の又は想像上の源に対して「正確なフィルタ関数」を確立することにおいて、人間の耳が頭の後ろよりも頭の前にある位置から来る音響に対してより知覚可能である、つまり、「周囲の音」を作るためには、源の数が聴取者の周り均等に分布される必要がなく、頭の後ろにある源の数は少なくてもよいことが考慮される。
【００４７】
これまでの例は、信号ｘ（ｋ）が源ＰＬ１並びにＰＬ２に送られるときマイクロホンによって測定される信号ｒｌ（ｋ）並びにｒｒ（ｋ）が実質的にゼロであるようヘッドホン音響発生手段４及び５に送られる信号
【００４８】
【外４】
0004509450.tif 000008
を調整し、上記測定からフィルタ設定データＷＸＲ（ｋ）並びにＷＸＬ（ｋ）を抽出することで、実際の又は想像上のいずれでもよい一つ以上の拡声器（又はチャネル）に対してフィルタ関数ＷＸＬ及びＷＸＲを決定することから始まる。
【００４９】
図６は、本発明の異なる面を示す図である。この特定の面では、外部の源が特定の頭に対してフィルタ設定ＷＸＬ及びＷＸＲを見つけるために使用され、このとき簡略化のため頭は「標準的な頭」と呼ばれる。しかしながら、これらフィルタ設定は、前述したように、非常に個別的なＨＲＴＦに依存する。他の人に対して、これら設定は正しくなくてもよい。上述したように、この問題を克服する一つの方法は、全ての個々の人に対してフィルタ関数を測定し、上記人を識別するデータと関連するフィルタ関数設定を記憶することである。しかしながら、このような手順が非常に良い結果をもたらすにも関わらず、比較的複雑な手順である。本発明の面において、異なる道を辿る。「標準的な頭」に対するフィルタ設定が正しい（即ち、信号ｘ（ｋ）による外部の源及びマイクロホン音響発生手段の音の和によるマイクロホン信号がゼロ）なとき、外部の源は遮断され、ヘッドホン音響発生手段に送られたマイクロホン信号ｒ”（ｋ）が測定され（又は、代替的にヘッドホン音響発生手段が遮断され、外部の源によるマイクロホン信号が測定される）。信号ｒ”（ｋ）に対応するデータがシステム中に記憶される。別の人がヘッドホンを着けるとき、同じ信号ｘ（ｋ）は同じフィルタ設定でヘッドホン音響発生手段４に送られるが、同じ信号
【００５０】
【外５】
0004509450.tif 000009
を発生するが、ＨＲＴＦの差により記憶されたｒ”（ｋ）とは異なるマイクロホン信号ｒ’（ｋ）を発生する。
【００５１】
図７では、本発明のこの面によるシステムが信号ｒ’（ｋ）を信号ｒ”（ｋ）と比較する手段と、マイクロホン（ｒ’（ｋ））によってレジスタされた信号と公知又は計算された信号（ｒ”（ｋ）、ｒ”’（ｋ）、ｒ””（ｋ））との間の比較が上記二つの信号が略同じであることを示すように、フィルタ設定ＷＸＬ（ｋ）及びＷＸＲ（ｋ）を変化させる手段１０とを有する。信号又は、信号ｒ’（ｋ）及びｒ”（ｋ）を表示するデータの比較は、信号が略同じであることを示す。このような比較は異なる方法で行われ得る。最も簡単な方法は、ｒ”（ｋ）に対するデータを記憶し、ｒ’（ｋ）及びｒ”（ｋ）に対するデータの和又は差（記憶されたデータの符号に依存して）を計算することである。これらデータは、信号ｒ’（ｋ）及びｒ”（ｋ）を直接的に表示してもよく、又は、信号から引き出される何らかのデータでもよく、このとき、比較に必要なデータを減少させるために引き出す。例えば、信号ｒ’（ｋ）及びｒ”（ｋ）は、フーリエ空間に変換されてもよく、フーリエ空間において比較が行われてもよい。フィルタ設定は、記録され（例えば、手段８、９、又は１０に記憶されるが、何らかの他の手段に記録されてもよい）、一つ以上の外部の源をシミュレートするために更なる音生成のために使用される。頭の形状及び大きさを除けば、他の要素、例えば、音響が発生されるサイトの音響（例えば、残響）も重要である。図６では、ｒ”（ｋ）は、例えば、コンサートホールにおける音再生に、ｒ”’（ｋ）はスタジアムにおける音再生、ｒ””（ｋ）は小さい部屋（チャンバ又はクラブ）における音再生に対応してもよい。システムのユーザは、好みに合わせてこのような設定を選択してもよい。本例では、比較信号ｒ”（ｋ）等は、固定された状況に対応する固定された信号である。より高度なシステムでは、比較信号はより自由に選択され得、例えば、ユーザに仮想のサイトの大きさ及び音響特性、又は、サイト内の聴取者の位置を変える機会を与えることで選択され得る。基本的な考えは、信号ｒ’（ｋ）（及び各チャネルに対する信号）は、記憶され又はンピュータ生成された信号（ｒ”（ｋ）、ｒ”’（ｋ）、ｒ””（ｋ））と比較され、二つの信号がフィルタ設定ＷＸＲ（ｋ）及びＷＸＬ（ｋ）を変化させることで略同じにされることである。
【００５２】
図７ａ乃至図７Ｅは、本発明によるシステムのヘッドホンの幾つかの実施例を示す図である。
【００５３】
図７ａでは、ヘッドホン１１のマイクロホン６の近傍には、管１２が内耳の中に入れられるよう設けられる。ヘッドホン１１がシェルのような構成を有し、音声発生手段がシェルの中にある本実施例では、マイクロホンが鼓膜の近傍にある内耳中で音をレジスタすることが好ましい。この目的のために、管１２が音案内として設けられる。図７ｂでは、ヘッドホンは、耳の中におかれ、マイクロホン６が内耳の近傍又は中におかれる。図７ｃでは、ヘッドホン１１及びマイクロホン６は、別個の装置であるが、耳の中又は近傍に夫々配置される。音響発生手段の出力信号は、ジャック７２に送られ、マイクロホンの出力信号は別個のジャック７１に送られる。図７Ｅでは、両方の信号は、二つの別々のポート７５及び７６を有する単一のジャック７３に送られ、これらポートを通じて信号はシステムの一部に伝えられる。本実施例は、単一のジャックだけが必要なため、最も好ましい実施例である。ジャックが挿入される音響システムの部分には、信号を捕捉する手段が設けられてもよい。このようなジャックは、余分な出力に対して標準的なジャックでもよいが、マイクロホンから信号をレジスタする可能性に対して同様に、ジャックが挿入されるべき音響システムの部分も標準的でもよい。これは、ユーザに関わる限り、「標準的な」機器が使用されることを可能にする。音響システムは、「通常のマイクロホン」で動作されることが可能となり（この場合、マイクロホン信号は無いが、本発明のシステムによるヘッドホンが使用されるか否かに関わりなくレジスタすることができ、使用される場合、本発明に従って動作する）。
【００５４】
図７ｄは、マイクロホンからの信号（ｒｌ（ｋ）、ｒｒ（ｋ）又は上記信号から派生する任意の組み合わせ或いは上記信号を表示するデータ）が無線、若しくは、別個のプラグによって中継され得ることを示す。
【００５５】
本発明の範囲内で多数の変更が可能であることが明らかである。
【００５６】
例えば、上記所与の例において、マイクロホンは他の素子から別個の素子として示される。実施例では、ヘッドホン音響発生手段自体がマイクロホンとして使用されてもよい。図８は、これがどのようにして行われるかを非常に概略的に示す図である。ヘッドホン音響発生手段８１は、音響を発生するために膜８３を駆動する手段８２を有する、又は手段８２に結合或いは手段８２と結合される。上記システムは、入力８４を介して信号Ｉｉｎが供給される。ヘッドホン音響発生手段は、膜の動きに対応する信号Ｉｏｕｔを発生する出力８６を有する手段８５（手段８２と共通の構築素子の幾らか、大部分、又は、全てを有してもよい）を有する。信号Ｉｉｎを調整する手段８７は、信号Ｉｏｕｔのための入力を有し、外部の源が音響を発生するときＩｏｕｔが実質的にゼロになるようＩｉｎを調整する。このような状況では、膜の位置における音圧は、ゼロであり、従って、静かである。これらの実施例に対して、即ち、ヘッドホン音響発生手段がマイクロホンとして二重の機能を有する実施例に対して、ヘッドホン音響発生手段が耳の中におかれ動作することが好ましい。
【００５７】
要約するに、本発明は以下の通りに説明され得る。
【００５８】
音響再生システムは、ヘッドホン（１１）を有する。上記ヘッドホンは、音響を発生する手段（４，５）及びマイクロホン（６，７）（即ち、音響を記録する手段）を有する。更に、システムは、生成された音響が外部の音源をシミュレートするよう信号をフィルタ処理する手段（８，９）を有する。これらフィルタ手段は、フィルタ設定データＷＸＲ（ｋ）及びＷＸＬ（ｋ）を有する。システムは、マイクロホン（６，７）からの信号（ｒｌ（ｋ）、ｒｒ（ｋ））がフィルタ手段（８，９）の設定ＷＸＬ（ｋ）及びＷＸＲ（ｋ）を設定するために使用されるフィードバック及び制御システム（１０）を有する。信号は、（外部の源が使用されるとき）ゼロ（ｒｌ（ｋ）＝０、図３参照）にすることで使用され得、又は、マイクロホン信号と測定された信号が略同じになるようゼロに比較（ｒ”（ｋ）−ｒ’（ｋ）＝０、図６参照）することで使用され得る。
【００５９】
空港のような非常に高いノイズの環境においてノイズを打ち消すために使用するようなシステムが公知であることに注意する。幾つかのこのようなシステムでは、ヘッドホン中のマイクロホンが使用される。ヘッドホン音響発生手段は、ある周波数帯域幅内の全てのノイズを取り除く、又は、少なくとも強く減少させるために対するノイズを発生する。このようなシステムの背後にある考え方は、通常低周波のノイズを除去することによってノイズと通常より高い周波数の通信音響信号との間のノイズ対信号比が増加されることである。しかしながら、このようなシステムは、外部の源をシミュレートせず、マイクロホン信号はフィルタ設定を設定するために使用されない。
【図面の簡単な説明】
【図１】  二つの実際の音源から三番目のいわゆる想像上の音源をどのように発生するかを概略的に示す図である。
【図２】  本発明によるシステムを概略的に示す図である。
【図３】  本発明によるシステムの更なる実施例を概略的に示す図である。
【図４】  本発明によるシステムの更なる実施例を概略的に示す図である。
【図５】  本発明によるシステムの更なる実施例を概略的に示す図である。
【図６】  本発明の別の面を示す図である。
【図７ａ】  本発明によるシステムのためのヘッドホンの実施例を示す図である。
【図７ｂ】  本発明によるシステムのためのヘッドホンの実施例を示す図である。
【図７ｃ】  本発明によるシステムのためのヘッドホンの実施例を示す図である。
【図７ｄ】  本発明によるシステムのためのヘッドホンの実施例を示す図である。
【図７ｅ】  本発明によるシステムのためのヘッドホンの実施例を示す図である。
【図８】  ヘッドホン音響発生手段がマイクロホンでもよい例を概略的に示す図である。
【図１】
0004509450.tif 000010
【図２】
0004509450.tif 000011
【図３】
0004509450.tif 000012
【図４】
0004509450.tif 000013
【図５】
0004509450.tif 000014
【図６】
0004509450.tif 000015
【図７ａ】
0004509450.tif 000016
【図７ｂ】
0004509450.tif 000017
【図７ｃ】
0004509450.tif 000018
0004509450.tif 000019
【図７ｄ】
0004509450.tif 000020
【図８】
0004509450.tif 000021